(57)【特許請求の範囲】
【請求項１】
積層体と、
前記積層体の表面に設けられている入力電極、出力電極及びグランド電極と、
積層方向から平面視したときに、所定方向に旋廻しながら、前記入力電極から前記グランド電極へと向かう第１のコイル部を含む第１のコイルを有する第１の共振回路と、
積層方向から平面視したときに、前記所定方向に旋廻しながら、前記出力電極から前記グランド電極へと向かう第２のコイル部を含む第２のコイルを有する第２の共振回路と、
前記第１のコイル及び前記第２のコイルに対して電磁結合している第３のコイル、及び、第３のコンデンサを有する第３の共振回路と、
を備えており、
前記第１のコイル部と前記第２のコイル部とは、積層方向から平面視したときに重なっておらず、
前記第３のコイルは、積層方向から平面視したときに、前記第１のコイル部及び前記第２のコイル部の周囲において、前記所定方向の反対方向に旋廻しながら前記第３のコンデンサから前記グランド電極に向かう第３のコイル部を含んでいること、
を特徴とする電子部品。
【請求項２】
前記第１の共振回路は、前記第１のコイルに並列に接続されている第１のコンデンサを更に有し、
前記第２の共振回路は、前記第２のコイルに並列に接続されている第２のコンデンサを更に有していること、
を特徴とする請求項１に記載の電子部品。
【請求項３】
前記第３のコンデンサは、前記第３のコイルに接続されていると共に、前記グランド電極に接続されていること、
を特徴とする請求項１又は請求項２のいずれかに記載の電子部品。
【請求項４】
前記第１のコイル部及び前記第２のコイル部と、前記第３のコイル部とは、異なる絶縁体層に設けられていること、
を特徴とする請求項１ないし請求項３のいずれかに記載の電子部品。
【請求項５】
前記第１のコイル部及び前記第２のコイル部は、同じ絶縁体層に設けられていること、
を特徴とする請求項１ないし請求項４のいずれかに記載の電子部品。
【発明の詳細な説明】
【技術分野】
【０００１】
本発明は、電子部品に関し、より特定的には、フィルタを含む電子部品に関する。
【背景技術】
【０００２】
従来の電子部品として、例えば、特許文献１に記載の積層型ＬＣフィルタが知られている。図４は、特許文献１に記載の積層型ＬＣフィルタ１００の積層体１０２の一部分における分解斜視図である。図５は、該積層型ＬＣフィルタ１００の等価回路図である。【０００３】
積層体１０２は、長方形状の絶縁体層１０４ａ〜１０４ｇが積層されて構成されており、内部導体１０５及びストリップライン１０６ａ〜１０６ｃを内蔵している。内部導体１０５は、絶縁体層１０４ｂ上に設けられ、積層体１０２内に不要波が侵入することを防止するシールドとして機能する。ストリップライン１０６ａ，１０６ｃは、絶縁体層１０４ｄ上に設けられ、絶縁体層１０４ｄの短辺に沿って延在している。ストリップライン１０６ｂは、絶縁体層１０４ｆ上に設けられ、積層方向から平面視したときに、ストリップライン１０６ａ，１０６ｃの間において、絶縁体層１０４ｆの短辺に沿って延在している。なお、積層体１０２の下部にはコンデンサ層が設けられており、ストリップライン１０６ａ〜１０６ｃと中継外部電極を介して接続されている。【０００４】
積層型ＬＣフィルタ１００は、図５に示すように、３つのＬＣ共振回路ＬＣ１０１〜ＬＣ１０３により構成されている。ＬＣ共振回路ＬＣ１０１は、コイルＬ１０１及びコンデンサＣ１０１により構成されている。前記ストリップライン１０６ａは、コイルＬ１０１を構成している。ＬＣ共振回路ＬＣ１０２は、コイルＬ１０２及びコンデンサＣ１０２により構成されている。前記ストリップライン１０６ｂは、コイルＬ１０２を構成している。ＬＣ共振回路ＬＣ１０３は、コイルＬ１０３及びコンデンサＣ１０３により構成されている。前記ストリップライン１０６ｃは、コイルＬ１０３を構成している。そして、ＬＣ共振回路ＬＣ１０１，１０３とはそれぞれ、コンデンサＣ１００，Ｃ１０４を介して入出力電極１１０ａ，１１０ｂに接続されている。【０００５】
以上のように構成された積層型ＬＣフィルタ１００では、ストリップライン１０６ａとストリップライン１０６ｂとが電磁結合していると共に、ストリップライン１０６ｂとストリップライン１０６ｃとが電磁結合している。これにより、積層型ＬＣフィルタ１００は、バンドパスフィルタを構成している。【０００６】
ここで、積層型ＬＣフィルタ１００の動作の一例について説明する。図４及び図５に示すように、コイルＬ１０１（ストリップライン１０６ａ）の一端は、コンデンサＣ１００を介して入力電極１１０ａに接続されており、コイルＬ１０１（ストリップライン１０６ａ）の他端は、接地されている。そのため、コイルＬ１０１には、入力電極１１０ａ側から接地側へと電流ｉ１０１が流れる。【０００７】
コイルＬ１０２は、コンデンサＣ１０２と接続されていると共に、接地されていない。また、ストリップライン１０６ａ（コイルＬ１０１）とストリップライン１０６ｂ（コイルＬ１０２）とは、電磁結合している。よって、ストリップライン１０６ａ（コイルＬ１０１）に電流ｉ１０１が流れると、電磁誘導により、図４に示すように、ストリップライン１０６ｂ（コイルＬ１０２）には、電流ｉ１０１の反対方向に向かう電流ｉ１０２が流れる。【０００８】
また、図４及び図５に示すように、コイルＬ１０３（ストリップライン１０６ｃ）の一端は、コンデンサＣ１０４を介して出力電極１１０ｂに接続されており、コイルＬ１０３（ストリップライン１０６ｃ）の他端は、接地されている。そのため、コイルＬ１０３には、入力電極１１０ｂ側から接地側へと電流ｉ１０３が流れる。【０００９】
前記積層型ＬＣフィルタ１００では、以下に説明するように、小型化と狭帯域化とを両立させることが困難である。より詳細には、積層型ＬＣフィルタ１００では、コイルＬ１０１〜Ｌ１０３はそれぞれ、直線状のストリップライン１０６ａ〜１０６ｃにより構成されている。そのため、磁束は、ストリップライン１０６ａ〜１０６ｃの周囲を旋廻するように発生する。この場合、コイルＬ１０１〜Ｌ１０３に発生する磁束は、比較的広範囲にわたって分布する。よって、コイルＬ１０１〜Ｌ１０３同士は、磁気結合し易く、コイルＬ１０１〜Ｌ１０３の結合係数は大きくなり易い。そして、コイル間の結合係数が増加すると信号の通過帯域は広くなる関係があるので、積層型ＬＣフィルタ１００における信号の通過帯域は広くなる。【００１０】
そこで、コイルＬ１０１〜Ｌ１０３の結合係数を小さくするために、ストリップライン１０６ａ〜１０６ｃ同士の間隔を大きくすることが考えられる。これにより、コイルＬ０１０１〜Ｌ１０３同士の磁気結合を弱くすることができる。【００１１】
しかしながら、この場合には、積層型ＬＣフィルタ１００が大型化してしまう。よって、積層型ＬＣフィルタ１００において、小型化と狭帯域化とを両立させることは困難であった。
【先行技術文献】
【特許文献】
【００１２】
【特許文献１】特開平９−３０７３８９号公報
【発明の概要】
【発明が解決しようとする課題】
【００１３】
そこで、本発明の目的は、共振回路を内蔵した電子部品において、小型化を図ると共に、信号の通過帯域を狭帯域化することである。
【課題を解決するための手段】
【００１４】
本発明の一形態に係る電子部品は、積層体と、前記積層体の表面に設けられている入力電極、出力電極及びグランド電極と、積層方向から平面視したときに、所定方向に旋廻しながら、前記入力電極から前記グランド電極へと向かう第１のコイル部を含む第１のコイルを有する第１の共振回路と、積層方向から平面視したときに、前記所定方向に旋廻しながら、前記出力電極から前記グランド電極へと向かう第２のコイル部を含む第２のコイルを有する第２の共振回路と、前記第１のコイル及び前記第２のコイルに対して電磁結合している第３のコイル、及び、第３のコンデンサを有する第３の共振回路と、を備えており、前記第１のコイル部と前記第２のコイル部とは、積層方向から平面視したときに重なっておらず、前記第３のコイルは、積層方向から平面視したときに、前記第１のコイル部及び前記第２のコイル部の周囲において、前記所定方向の反対方向に旋廻しながら前記第３のコンデンサから前記グランド電極に向かう第３のコイル部を含んでいること、を特徴とする。
【発明の効果】
【００１５】
本発明によれば、共振回路を内蔵した電子部品において、小型化を図ると共に、信号の通過帯域を狭帯域化できる。
【図面の簡単な説明】
【００１６】
【図１】本発明の実施形態に係る電子部品の外観斜視図である。
【図２】図１の電子部品の積層体の分解斜視図である。
【図３】図１の電子部品の等価回路図である。
【図４】特許文献１に記載の積層型ＬＣフィルタの積層体の一部分における分解斜視図である。
【図５】図４の積層型ＬＣフィルタの等価回路図である。
【発明を実施するための形態】
【００１７】
以下に本発明の実施形態に係る電子部品について説明する。
【００１８】
（電子部品の構成）
以下に、本発明の一実施形態に係る電子部品の構成について図面を参照しながら説明する。図１は、本発明の実施形態に係る電子部品１０の外観斜視図である。図２は、電子部品１０の積層体１２の分解斜視図である。図３は、電子部品１０の等価回路図である。図１及び図２において、ｚ軸方向は、積層方向を示す。また、ｘ軸方向は、電子部品の長辺に沿った方向を示し、ｙ軸方向は、電子部品１０の短辺に沿った方向を示す。また、ｘ軸方向、ｙ軸方向及びｚ軸方向の正方向及び負方向は、積層体１２の中心を基準とする。
【００１９】
電子部品１０は、図１に示すように、積層体１２、外部電極１４（１４ａ〜１４ｄ）、方向認識マーク１５、及びＬＣ共振回路ＬＣ１〜ＬＣ３を備えている。積層体１２は、図２に示すように、セラミック誘電体からなる絶縁体層１６（１６ａ〜１６ｊ）が積層されることにより構成され、直方体状をなしている。また、積層体１２は、ＬＣ共振回路ＬＣ１〜ＬＣ３を内蔵している。
【００２０】
外部電極１４ａは、図１に示すように、ｘ軸方向の負方向側の側面（表面）に設けられており、入力電極として用いられる。外部電極１４ｂは、ｘ軸方向の正方向側の側面（表面）に設けられ、出力電極として用いられる。外部電極１４ｃは、ｙ軸方向の負方向側の側面（表面）に設けられ、グランド電極として用いられる。外部電極１４ｄは、ｙ軸方向の正方向側の側面（表面）に設けられ、グランド電極として用いられる。
【００２１】
方向認識マーク１５は、積層体１２のｚ軸方向の正方向側の上面に設けられ、実装時に、電子部品１０の方向を識別するために用いられる。
【００２２】
絶縁体層１６は、図２に示すように、長方形状をなしており、例えば、セラミック誘電体により構成されている。絶縁体層１６ａ〜１６ｊは、ｚ軸方向においてこの順に並ぶように積層されている。
【００２３】
ＬＣ共振回路ＬＣ１は、図３に示すように、コイルＬ１及びコンデンサＣ１により構成され、外部電極１４ａと外部電極１４ｃ，１４ｄとの間に設けられている。コイルＬ１は、図２に示すように、コイル導体１８ａ，１８ｂ及びビアホール導体ｂ１により構成されている。コイル導体１８ａ，１８ｂはそれぞれ、コイル部３０ａ，３０ｂ及び引き出し部３２ａ，３２ｂを含んでいる。コイル部３０ａ，３０ｂはそれぞれ、ｚ軸方向から平面視したときに、絶縁体層１６ｂ，１６ｃ上において、矢印Ａの方向（時計回り）に旋廻しながら外部電極１４ａから外部電極１４ｃへと向かう線状導体である。また、引き出し部３２ａは、コイル部３０ａの一端に接続され、絶縁体層１６ｂのｘ軸方向の負方向側の短辺に接している。これにより、コイル導体１８ａは、外部電極１４ａに接続されている。同様に、引き出し部３２ｂは、コイル部３０ｂの一端に接続され、絶縁体層１６ｃのｙ軸方向の正方向側の長辺に接している。これにより、コイル導体１８ｂは、外部電極１４ｄに接続されている。
【００２４】
また、コイル部３０ａの他端とコイル部３０ｂの他端とは、ｚ軸方向から平面視したときに、重なり合っている。ビアホール導体ｂ１は、絶縁体層１６ｂをｚ軸方向に貫通しており、コイル部３０ａの他端とコイル部３０ｂの他端とを接続している。これにより、コイルＬ１は、外部電極１４ａ，１４ｄ間に接続されている。
【００２５】
コンデンサＣ１は、コンデンサ導体２０ｆ，２０ｉにより構成されている。コンデンサ導体２０ｆは、絶縁体層１６ｉ上に設けられている矩形状の導体であり、絶縁体層１６ｉのｘ軸方向の負方向側の短辺に引き出されている。また、コンデンサ導体２０ｉは、絶縁体層１６ｊの略全面を覆うように設けられている矩形状の導体であり、ｙ軸方向の正方向側及び負方向側の長辺に接している。これにより、コンデンサ導体２０ｆ，２０ｉは、絶縁体層１６ｉを挟んで対向し、コンデンサＣ１を構成している。該コンデンサＣ１は、外部電極１４ａ，１４ｃ間及び外部電極１４ａ，１４ｄ間に接続されている。更に、コイルＬ１は、前記の通り、外部電極１４ａ，１４ｄ間に接続されている。そのため、コンデンサＣ１は、コイルＬ１に並列に接続されている。
【００２６】
ＬＣ共振回路ＬＣ２は、図３に示すように、コイルＬ２及びコンデンサＣ２により構成され、外部電極１４ｂと外部電極１４ｃ，１４ｄとの間に設けられている。コイルＬ２は、図２に示すように、コイル導体１８ｃ，１８ｄ及びビアホール導体ｂ２により構成されている。コイル導体１８ｃ，１８ｄはそれぞれ、コイル部３０ｃ，３０ｄ及び引き出し部３２ｃ，３２ｄを含んでいる。コイル部３０ｃ，３０ｄはそれぞれ、ｚ軸方向から平面視したときに、絶縁体層１６ｂ，１６ｃ上において、矢印Ａの方向に旋廻しながら外部電極１４ｂから外部電極１４ｃへと向かう線状導体である。また、引き出し部３２ｃは、コイル部３０ｃの一端に接続され、絶縁体層１６ｂのｘ軸方向の正方向側の短辺に接している。これにより、コイル導体１８ｃは、外部電極１４ｂに接続されている。同様に、引き出し部３２ｄは、コイル部３０ｄの一端に接続され、絶縁体層１６ｃのｙ軸方向の負方向側の長辺に接している。これにより、コイル導体１８ｄは、外部電極１４ｃに接続されている。
【００２７】
また、コイル部３０ｃの他端とコイル部３０ｄの他端とは、ｚ軸方向から平面視したときに、重なり合っている。ビアホール導体ｂ２は、絶縁体層１６ｂをｚ軸方向に貫通しており、コイル部３０ｃの他端とコイル部３０ｄの他端とを接続している。これにより、コイルＬ２は、外部電極１４ｂ，１４ｃ間に接続されている。
【００２８】
コンデンサＣ２は、コンデンサ導体２０ｈ，２０ｉにより構成されている。コンデンサ導体２０ｈは、絶縁体層１６ｉ上において、コンデンサ導体２０ｆとｘ軸方向において並んでいる矩形状の導体であり、絶縁体層１６ｉのｘ軸方向の正方向側の短辺に引き出されている。コンデンサ導体２０ｉは、絶縁体層１６ｉを挟んでコンデンサ導体２０ｈと対向している。これにより、コンデンサ導体２０ｈ，２０ｉは、コンデンサＣ２を構成している。該コンデンサＣ２は、外部電極１４ｂと外部電極１４ｃ，１４ｄとの間に接続されている。更に、コイルＬ２は、前記の通り、外部電極１４ｂ，１４ｃ間に接続されている。そのため、コンデンサＣ２は、コイルＬ２に並列に接続されている。
【００２９】
ＬＣ共振回路ＬＣ３は、図３に示すように、コイルＬ３及びコンデンサＣ３により構成され、外部電極１４ｃ，１４ｄに接続されている。コイルＬ３は、図２に示すように、コイル導体１８ｅ，１８ｆ及びビアホール導体ｂ３により構成されている。コイル導体１８ｅは、コイル部３０ｅ及び引き出し部３２ｅを含んでいる。コイル導体１８ｆは、コイル部３０ｆを含んでいる。コイル部３０ｅ，３０ｆはそれぞれ、ｚ軸方向から平面視したときに、絶縁体層１６ｄ，１６ｅ上において、矢印Ａの反対方向である矢印Ｂの方向（反時計回り）に旋廻しながらコンデンサＣ３から外部電極１４ｄへと向かう線状導体である。更に、コイル部３０ｅ，３０ｆは、ｚ軸方向から平面視したときに、コイル部３０ａ〜３０ｄの周囲において、矢印Ｂの方向に旋廻している。すなわち、コイル部３０ａ〜３０ｄは、コイル部３０ｅ，３０ｆにより囲まれた領域内に収まっている。また、引き出し部３２ｅは、コイル部３０ｅの一端に接続され、絶縁体層１６ｄのｙ軸方向の正方向側の短辺に接している。これにより、コイルＬ３は、外部電極１４ｄに接続されている。
【００３０】
また、コイル部３０ｅの他端とコイル部３０ｆの一端とは、ｚ軸方向から平面視したときに、重なり合っている。ビアホール導体ｂ３は、絶縁体層１６ｄをｚ軸方向に貫通しており、コイル部３０ｅの他端とコイル部３０ｆの一端とを接続している。
【００３１】
コンデンサＣ３は、コンデンサ導体２０ｉ，２０ｇにより構成されている。コンデンサ導体２０ｇは、絶縁体層１６ｉ上において、コンデンサ導体２０ｆ，２０ｈ間に設けられている矩形状の導体であり、絶縁体層１６ｉのいずれの短辺又は長辺にも引き出されていない。コンデンサ導体２０ｉは、絶縁体層１６ｉを挟んでコンデンサ導体２０ｇと対向している。これにより、コンデンサ導体２０ｉ，２０ｇは、コンデンサＣ３を構成している。
【００３２】
ビアホール導体ｂ４〜ｂ７はそれぞれ、絶縁体層１６ｅ〜１６ｈをｚ軸方向に貫通しており、コイル部３０ｆの他端とコンデンサ導体２０ｇとを接続している。これにより、図３に示すように、コンデンサＬ３は、コンデンサＣ３に接続されている。更に、コンデンサ導体２０ｉは、外部電極１４ｃ，１４ｄに接続されているので、コンデンサＣ３は、外部電極１４ｃ，１４ｄにも接続されている。
【００３３】
コンデンサ導体２０ａは、絶縁体層１６ｆ上に設けられ、ｘ軸方向に延在することにより、ｚ軸方向から平面視したときに、コンデンサ導体２０ｂ，２０ｄと重なっている。これにより、コンデンサ導体２０ａは、図３に示すようなコンデンサＣ１，Ｃ２間に容量結合Ｃｃを発生させている。
【００３４】
コンデンサ導体２０ｅは、絶縁体層１６ｈ上に設けられ、ｘ軸方向に延在することにより、ｚ軸方向から平面視したときに、コンデンサ導体２０ｂ，２０ｄ及びコンデンサ導体２０ｆ，２０ｈと重なっている。これにより、コンデンサ導体２０ｅも、コンデンサＣ１，Ｃ２間に容量結合Ｃｃを発生させている。コンデンサ導体２０ａ，２０ｅは、ＬＣ共振回路ＬＣ１とＬＣ共振回路ＬＣ３とを結合させて、通過帯域近傍の減衰特性を改善する効果がある。
【００３５】
コンデンサ導体２０ｂ，２０ｄはそれぞれ、コンデンサ導体２０ｆ，２０ｈと同じ構造を有しており、絶縁体層１６ｇ上に設けられている。該コンデンサ導体２０ｂ，２０ｄは、コンデンサＣ１，Ｃ２の一部を構成しており、容量を発生する役割を果たしている。
【００３６】
コンデンサ導体２０ｃは、コンデンサ導体２０ｇと同じ構造を有しており、絶縁体層１６ｇ上に設けられている。該コンデンサ導体２０ｃは、コンデンサＣ３の一部を構成しており、容量を発生する役割を果たしている。なお、コンデンサ導体２０ｉは、外部電極１４ｃ，１４ｄを介して、外部回路のグランド電極に接続されて、積層体１２内部でグランド導体としても機能する。
【００３７】
以上のように構成された電子部品１０では、コイルＬ１とコイルＬ３とが電磁結合し、コイルＬ２とコイルＬ３とが電磁結合している。これにより、電子部品１０は、所定の周波数帯域の信号のみを通過するバンドパスフィルタを構成している。
【００３８】
以下に、電子部品１０の動作の一例について、図１ないし図３を参照しながら説明する。電子部品１０では、図２及び図３に示すように、コイルＬ１の一端は、入力電極としての外部電極１４ａに接続され、コイルＬ１の他端は、グランド電極としての外部電極１４ｄに接続されている。よって、コイルＬ１には、外部電極１４ａから外部電極１４ｄへと電流ｉ１が流れる。電流ｉ１は、図２において、矢印Ａの方向に流れる。
【００３９】
また、コイルＬ１とコイルＬ３とは、電磁結合している。よって、コイルＬ１に電流ｉ１が流れると、電磁誘導により、コイルＬ３に電流ｉ３が流れる。ここで、コイルＬ３の一端は、コンデンサＣ３と接続されていると共に、コイルＬ３の他端は、グランド電極としての外部電極１４ｄに接続されている。そのため、電流ｉ３は、コンデンサＣ３から外部電極１４ｄへと流れる。電流ｉ３は、図２において、矢印Ａの反対方向である矢印Ｂの方向に流れる。
【００４０】
また、コイルＬ２とコイルＬ３とは、電磁結合している。よって、コイルＬ３に電流ｉ３が流れると、電磁誘導により、コイルＬ２に電流ｉ２が流れる。ここで、コイルＬ２の一端は、出力電極としての外部電極１４ｂに接続され、コイルＬ２の他端は、グランド電極としての外部電極１４ｃに接続されている。そのため、電流ｉ２は、外部電極１４ｂから外部電極１４ｃへと流れる。電流ｉ２は、図２において、矢印Ａの方向に流れる。以上のような構成により、所定の周波数帯域の出力信号が、外部電極１４ｂから出力される。
【００４１】
以上のように構成された電子部品１０では、小型化が図られると共に、信号の通過帯域の狭帯域化が図られる。より詳細には、図４に示すように、積層型ＬＣフィルタ１００では、コイルＬ１０１〜Ｌ１０３はそれぞれ、直線状のストリップライン１０６ａ〜１０６ｃにより構成されている。そのため、磁束は、ストリップライン１０６ａ〜１０６ｃの周囲を旋廻するように発生する。この場合、コイルＬ１０１〜Ｌ１０３に発生する磁束は、比較的広範囲にわたって分布する。よって、コイルＬ１０１〜Ｌ１０３同士は、磁気結合し易く、コイルＬ１０１〜Ｌ１０３の結合係数は大きくなり易い。そして、コイル間の結合係数が増加すると信号の通過帯域は広くなる関係があるので、積層型ＬＣフィルタ１００における信号の通過帯域は広くなる。
【００４２】
そこで、コイルＬ１０１〜Ｌ１０３の結合係数を小さくするために、ストリップライン１０６ａ〜１０６ｃ同士の間隔を大きくすることが考えられる。これにより、コイルＬ１０１〜Ｌ１０３同士の磁気結合を弱くすることができる。
【００４３】
しかしながら、この場合には、積層型ＬＣフィルタ１００が大型化してしまう。よって、積層型ＬＣフィルタ１００において、小型化と狭帯域化とを両立させることは困難であった。
【００４４】
一方、電子部品１０では、図２及び図３に示すように、コイルＬ１，Ｌ２は、互いに平行なコイル軸を有し、ｘ軸方向に並んでいる。そして、コイルＬ１を流れる電流ｉ１が旋廻する方向は、コイルＬ２を流れる電流ｉ２が旋廻する方向と同じである。そのため、コイルＬ１が発生する磁束とコイルＬ２が発生する磁束とは打ち消しあう。よって、コイルＬ１とコイルＬ２とは、磁気結合しにくい。したがって、コイルＬ１，Ｌ２間の結合係数を小さく維持しつつ、コイルＬ１とコイルＬ２と近づけることができる。
【００４５】
更に、コイルＬ３は、ｚ軸方向から平面視したときに、コイルＬ１，Ｌ２の周囲を取り囲んでいる。更に、コイルＬ３を流れる電流ｉ３が旋廻する方向は、コイルＬ１，Ｌ２を流れる電流ｉ１，ｉ２が旋廻する方向と逆である。そのため、コイルＬ３が発生する磁束とコイルＬ１，Ｌ２が発生する磁束とは打ち消しあう。したがって、コイルＬ３が、ｚ軸方向から平面視したときに、コイルＬ１，Ｌ２と重なるように配置されたとしても、コイルＬ３とコイルＬ１，Ｌ２との間の結合係数が大きくなりにくい。以上より、電子部品１０では、コイルＬ１〜Ｌ３間の結合係数を小さくしつつ、コイルＬ１〜Ｌ３を近づけて配置することができる。よって、電子部品１０では、小型化と狭帯域化とを両立できる。
【００４６】
更に、螺旋状のコイル導体１８が発生する磁束は、直線状のストリップライン１０６が発生する磁束に比べて、狭い範囲に分布するようになる。そのため、コイルＬ１〜Ｌ３は、コイルＬ１０１〜Ｌ１０３に比べて結合しにくい。したがって、電子部品１０では、コイルＬ１〜Ｌ３間の結合係数を小さくしつつ、コイルＬ１〜Ｌ３を近づけて配置することができる。その結果、電子部品１０では、小型化と狭帯域化とを両立できる。
【００４７】
また、電子部品１０では、コイルＬ１，Ｌ２を構成しているコイル導体１８ａ〜１８ｄは、コイルＬ３を構成しているコイル導体１８ｅ，１８ｆとは異なる絶縁体層１６に設けられている。よって、コイルＬ１とコイルＬ３との間の距離を大きくすることができると共に、コイルＬ２とコイルＬ３との間の距離を大きくすることができる。その結果、コイルＬ１，Ｌ３間の結合係数及びコイルＬ２，３間の結合係数を小さくすることができる。よって、電子部品１０において、信号の通過帯域の狭帯域化を更に図ることができる。
【００４８】
また、複数の共振器を備えたいわゆる多段フィルタでは、中央段の共振器ほど電力が集中するため、中央段の共振器の無負荷Ｑを大きくすることでフィルタの挿入損失を小さくすることができる。図２のように、２段目のコイル導体１８ｅ，１８ｆを、１段目のコイル導体１８ａ，１８ｂ及び３段目のコイル導体１８ｃ，１８ｄが設けられている絶縁体層１６ｂ，１６ｃと異なる絶縁体層１６ｄ，１６ｅ上に設けることにより、２段目のコイルＬ２のＱを大きくすることができる。
【００４９】
更に、コイル導体１８ａ〜１８ｄとコイル導体１８ｅ，１８ｆとを異なる絶縁体層１６に設けることにより、コイル導体１８ａ〜１８ｄとコイル導体１８ｅ，１８ｆとの間の距離を調整することが容易となる。その結果、コイルＬ１，Ｌ３間の結合係数及びコイルＬ２，Ｌ３間の結合係数を調整することが容易となる。よって、電子部品１０において、信号の通過帯域を調整することが容易となる。
【００５０】
（電子部品の製造方法）
次に、電子部品１０の製造方法について図１及び図２を参照しながら説明する。
【００５１】
まず、絶縁体層１６となるべきセラミックグリーンシートを準備する。次に、絶縁体層１６ｂ，１６ｄ〜１６ｈとなるべきセラミックグリーンシートのそれぞれに、ビアホール導体ｂ１〜ｂ７を形成する。具体的には、絶縁体層１６ｂ，１６ｄ〜１６ｈとなるべきセラミックグリーンシートにレーザビームを照射してビアホールを形成する。次に、このビアホールに対して、Ａｇ，Ｐｄ，Ｃｕ，Ａｕやこれらの合金などの導電性ペーストを印刷塗布などの方法により充填する。
【００５２】
次に、絶縁体層１６ｂ〜１６ｊとなるべきセラミックグリーンシート上に、Ａｇ，Ｐｄ，Ｃｕ，Ａｕやこれらの合金などを主成分とする導電性ペーストをスクリーン印刷法やフォトリソグラフィ法などの方法で塗布することにより、コイル導体１８及びコンデンサ導体２０を形成する。なお、コイル導体１８及びコンデンサ導体２０の形成の際に、ビアホールに対する導電性ペーストの充填を行ってもよい。
【００５３】
次に、各セラミックグリーンシートを積層する。具体的には、絶縁体層１６ｊとなるべきセラミックグリーンシートを配置する。次に、絶縁体層１６ｊとなるべきセラミックグリーンシート上に絶縁体層１６ｉなるべきセラミックグリーンシートを配置する。この後、絶縁体層１６ｉとなるべきセラミックグリーンシートを絶縁体層１６ｊとなるべきセラミックグリーンシートに対して圧着する。この後、絶縁体層１６ｈ，１６ｇ，１６ｆ，１６ｅ，１６ｄ，１６ｃ，１６ｂ，１６ａとなるべきセラミックグリーンシートについても同様にこの順番に積層及び圧着する。以上の工程により、マザー積層体が形成される。このマザー積層体には、静水圧プレスなどにより本圧着が施される。
【００５４】
次に、マザー積層体をカット刃により所定寸法の積層体１２にカットする。この未焼成の積層体１２には、脱バインダー処理及び焼成がなされる。
【００５５】
以上の工程により、焼成された積層体１２が得られる。積層体１２には、バレル加工が施されて、面取りが行われる。その後、積層体１２の表面には、例えば、浸漬法等の方法により主成分が銀である電極ペーストが塗布及び焼き付けされることにより、外部電極１４となるべき銀電極が形成される。
【００５６】
最後に、銀電極の表面に、Ｎｉめっき／Ｓｎめっきを施すことにより、外部電極１４を形成する。以上の工程を経て、図１に示すような電子部品１０が完成する。
【産業上の利用可能性】
【００５７】
本発明は、電子部品に有用であり、特に、フィルタを内蔵した電子部品において、信号の通過帯域を狭帯域化できる点において優れている。
【符号の説明】
【００５８】
Ｃ１〜Ｃ３，Ｃ１００〜Ｃ１０４  コンデンサ
Ｌ１〜Ｌ３，Ｌ１０１〜Ｌ１０３  コイル
ＬＣ１〜ＬＣ３  ＬＣ共振回路
ｂ１〜ｂ７  ビアホール導体
１０  電子部品
１２  積層体
１４ａ〜１４ｄ  外部電極
１６ａ〜１６ｊ  絶縁体層
１８ａ〜１８ｆ  コイル導体
２０ａ〜２０ｉ  コンデンサ導体
３０ａ〜３０ｆ  コイル部
３２ａ〜３２ｅ  引き出し部
【図１】
0005440813.tif 000002
【図２】
0005440813.tif 000003
【図３】
0005440813.tif 000004
【図４】
0005440813.tif 000005
【図５】
0005440813.tif 000006